(57)【特許請求の範囲】
【請求項１】
作業服が掛けられたハンガーを吊す移動フックを移動させてハンガーとともに作業服を搬送する搬送部と、側面視凹字状に形成された側面の搬入口を通じて搬入された作業服に対して放射線の検出部によりモニタリングを行って汚染の有無を検出する縦型ランドリモニタと、を有し、放射性物質取扱施設の管理区域から搬出される作業服について放射性物質による汚染の有無を検査するランドリモニタシステムに用いられる校正治具であって、
この校正治具は、
上下方向に長尺に形成された本体部と、
本体部に取り付けられ、線源が固定される線源保持部と、
本体部上側に取り付けられており、搬送部の移動フックに係止されて固定を行うフック固定部と、
本体部上側に取り付けられており、縦型ランドリモニタの前側検出部が形成される前側内壁面および後側検出部が形成される後側内壁面に当接する上側ガイド部と、
本体部下側に取り付けられており、縦型ランドリモニタの前側検出部が形成される前側内壁面および後側検出部が形成される後側内壁面に当接する下側ガイド部と、
を備えるものであり、前記搬送部の移動フックから吊下されて移動フックの搬送とともに移動し、搬送経路上に配置された前記縦型ランドリモニタの検出部を通過するようになされたことを特徴とする校正治具。
【請求項２】
請求項１に記載の校正治具において、
前記上側ガイド部は、前側内壁面に当接する前側ローラと、後側内壁面に当接する後側ローラと、を備え、
前記下側ガイド部は、前側内壁面に当接する前側ローラと、後側内壁面に当接する後側ローラと、を備えることを特徴とする校正治具。
【請求項３】
請求項１または請求項２に記載の校正治具において、
前記上側ガイド部は、縦型ランドリモニタの搬入口内へ誘導する誘導部を備え、  また、
前記下側ガイド部は、縦型ランドリモニタの搬入口内へ誘導する誘導部を備えることを特徴とする校正治具。
【請求項４】
請求項１〜請求項３の何れか一項に記載の校正治具において、
前記フック固定部は、搬送部の移動フックの形状とほぼ同一に形成された孔部と、この孔部まで到達する固定ネジと、を備え、固定ネジの締結により移動フックと一体に固定されることを特徴とする校正治具。
【請求項５】
請求項１〜請求項４の何れか一項に記載の校正治具において、
前記前側検出部および後側検出部は、上下方向に複数のセンサ部を配列してなるものであり、前記校正治具は、
前記本体部の両側面に設けられ、縦方向に多段に設けられた突設部と、
前記線源保持部の両側面に設けられ、この突設部に係止される係止部と、
をさらに備え、前記線源保持部を前記本体部に対して多段に配置可能とし、線源を一のセンサの高さに合わせてセンサ別に校正することを特徴とする校正治具。
【発明の詳細な説明】
【技術分野】
【０００１】
この発明は、原子力発電所など放射性物質取扱施設の管理区域から搬出される作業服の放射性物質による汚染（放射能汚染）の有無について検査する縦型ランドリモニタを含むランドリモニタシステム用の校正治具に関する。
【背景技術】
【０００２】
ランドリモニタの校正治具に係る従来技術としては、例えば、特許文献１（特開平６−１４８３３７号公報，発明の名称：放射能汚染モニタ校正方法及びこれに用いる線源固定治具）に記載されたものが知られている。特許文献１の線源固定治具は、コンベア上を搬送されるランドリに対してモニタリングを行うランドリモニタを校正するための線源固定治具である。
【先行技術文献】
【特許文献】
【０００３】
【特許文献１】特開平６−１４８３３７号公報（段落番号［００２３］〜［００３０］，図４）
【発明の概要】
【発明が解決しようとする課題】
【０００４】
特許文献１に記載した従来技術では線源固定治具がコンベア上を搬送されるというものであり、線源から検出部までの距離が一定長さであるため、正確な校正が可能であった。しかしながら、ハンガーにより作業服を吊り下げた状態で放射性物質による汚染（放射能汚染）の有無について検査する縦型ランドリモニタでは、吊り下げた状態の校正治具を用いると前後方向（搬送方向に対して垂直方向）や左右方向（搬送方向）に作業服が揺れ、線源から検出部までの距離が変化することとなり、正確な校正ができないという問題点があった。
【０００５】
そこで、本発明は上記した問題に鑑みてなされたものであり、その目的は、ハンガーに掛けた状態の作業服のモニタリングを行う縦型ランドリモニタの検出部に対して確実な校正を行う校正治具を提供することにある。
【課題を解決するための手段】
【０００６】
上記課題を解決するため、本発明の請求項１に係る発明の校正治具は、
作業服が掛けられたハンガーを吊す移動フックを移動させてハンガーとともに作業服を搬送する搬送部と、側面視凹字状に形成された側面の搬入口を通じて搬入された作業服に対して放射線の検出部によりモニタリングを行って汚染の有無を検出する縦型ランドリモニタと、を有し、放射性物質取扱施設の管理区域から搬出される作業服について放射性物質による汚染の有無を検査するランドリモニタシステムに用いられる校正治具であって、
この校正治具は、
上下方向に長尺に形成された本体部と、
本体部に取り付けられ、線源が固定される線源保持部と、
本体部上側に取り付けられており、搬送部の移動フックに係止されて固定を行うフック固定部と、
本体部上側に取り付けられており、縦型ランドリモニタの前側検出部が形成される前側内壁面および後側検出部が形成される後側内壁面に当接する上側ガイド部と、
本体部下側に取り付けられており、縦型ランドリモニタの前側検出部が形成される前側内壁面および後側検出部が形成される後側内壁面に当接する下側ガイド部と、
を備えるものであり、前記搬送部の移動フックから吊下されて移動フックの搬送とともに移動し、搬送経路上に配置された前記縦型ランドリモニタの検出部を通過するようになされたことを特徴とする。
【０００７】
また、本発明の請求項２に係る発明の校正治具は、
請求項１に記載の校正治具において、
前記上側ガイド部は、前側内壁面に当接する前側ローラと、後側内壁面に当接する後側ローラと、を備え、
前記下側ガイド部は、前側内壁面に当接する前側ローラと、後側内壁面に当接する後側ローラと、を備えることを特徴とする。
【０００８】
また、本発明の請求項３に係る発明の校正治具は、
請求項１または請求項２に記載の校正治具において、
前記上側ガイド部は、縦型ランドリモニタの搬入口内へ誘導する誘導部を備え、また、
前記下側ガイド部は、縦型ランドリモニタの搬入口内へ誘導する誘導部を備えることを特徴とする。
【０００９】
また、本発明の請求項４に係る発明の校正治具は、
請求項１〜請求項３の何れか一項に記載の校正治具において、
前記フック固定部は、搬送部の移動フックの形状とほぼ同一に形成された孔部と、この孔部まで到達する固定ネジと、を備え、固定ネジの締結により移動フックと一体に固定されることを特徴とする。
【００１０】
また、本発明の請求項５に係る発明の校正治具は、
請求項１〜請求項４の何れか一項に記載の校正治具において、
前記前側検出部および後側検出部は、上下方向に複数のセンサ部を配列してなるものであり、前記校正治具は、
前記本体部の両側面に設けられ、縦方向に多段に設けられた突設部と、
前記線源保持部の両側面に設けられ、この突設部に係止される係止部と、
をさらに備え、前記線源保持部を前記本体部に対して多段に配置可能とし、線源を一のセンサの高さに合わせてセンサ別に校正することを特徴とする。
【発明の効果】
【００１２】
以上のような本発明によれば、ハンガーに掛けた状態の作業服のモニタリングを行う縦型ランドリモニタの検出部に対して確実な校正を行う校正治具を提供することができる。
【図面の簡単な説明】
【００１３】
【図１】本発明を実施するため形態の校正治具が適用されるランドリモニタシステムのシステム構成図である。
【図２】縦型ランドリモニタの検出部を説明する説明図である。
【図３】縦型ランドリモニタの検出部を説明する説明図である。
【図４】縦型ランドリモニタの回路ブロックを説明する説明図である。
【図５】本発明を実施するため形態の校正治具の説明図であり、図５（ａ）は平面図、図５（ｂ）は正面図、図５（ｃ）はフック固定部の拡大図である。
【図６】本発明を実施するため形態の校正治具の斜視外観図である。
【図７】本発明を実施するため形態の校正治具の搬送方向の移動を説明する説明図である。
【図８】本発明を実施するため形態の校正治具の線源の上下方向の位置を説明する説明図である。
【発明を実施するための形態】
【００１４】
続いて、本発明を実施するための形態について図を参照しつつ説明する。まず、校正治具が用いられるランドリモニタシステムについて説明する。
ランドリモニタシステム１は、図１で示すように、縦型ランドリモニタ１０、投入部２０、搬送部３０、収納部４０を備える。
【００１５】
縦型ランドリモニタ１０は、図２で示すように、上から見ると、上側が開口している搬送路１１が形成されている。縦型ランドリモニタ１０は、側面から見るとこの搬送路１１があるため略凹字状に形成されている。このように略凹字状の搬送路１１を採用したため、搬送部３０により上側から吊されている作業服２がそのまま通過できるようになされている。搬送路１１の上流側には搬入口１１ａが、また、搬送路１１の下流側には搬出口１１ｂがそれぞれ設けられている。
【００１６】
搬入口１１ａは、図２で示すように、縦型ランドリモニタ１０内への入口である。
搬送路１１は、搬入口１１ａに連通する空間であり、搬送路１１の前後両側では作業服２の裏側と表側とに面するように上流前側検出部１２、下流前側検出部１３、上流後側検出部１４、下流後側検出部１５が配置されている。
搬出口１１ｂは、搬送路１１に連通しており、縦型ランドリモニタ１０からの出口である。
これら搬入口１１ａ、搬送路１１、搬出口１１ｂの順に作業服２が通過するようになされている。
【００１７】
縦型ランドリモニタ１０の内部には、図２で示すように、上流前側検出部１２、下流前側検出部１３、上流後側検出部１４、下流後側検出部１５を備える。ここに前側とは図１でも見えるような縦型ランドリモニタ１０の正面側を指す。また、後側とは縦型ランドリモニタ１０の背面側を指す。また、上流側とは搬送方向に対して上流であり、下流側とは搬送方向に対して下流である。上流前側検出部１２および下流前側検出部１３は、縦型ランドリモニタ１０の内の前側内壁面１６に形成される。上流後側検出部１４および下流後側検出部１５は、縦型ランドリモニタ１０の内の後側内壁面１７に形成される。
【００１８】
そして、図３で示すように、上下方向には複数のセンサ部を備える。この配置は、上流前側検出部１２および下流前側検出部１３についても同数が配置される。本形態では、例示的に上流後側検出部１４の上下方向の７個のセンサ部を、また、下流後側検出部１５の上下方向の６個のセンサ部を備える。そして図示していないが、上流前側検出部１２も上下方向の７個のセンサ部を、また、下流前側検出部１３も上下方向の６個のセンサ部を備える。これら上流前側検出部１２、下流前側検出部１３、上流後側検出部１４、下流後側検出部１５により搬送路１１内へ搬送された作業服２の前後面に対して放射性物質による汚染（放射能汚染）の有無を検出する。
【００１９】
また、縦型ランドリモニタ１０の内部回路としては、図４で示すように、上流前側検出部１２、下流前側検出部１３、上流後側検出部１４、下流後側検出部１５、信号処理部１８、操作・表示部１９を備えており、信号処理部１８に、上流前側検出部１２、下流前側検出部１３、上流後側検出部１４、下流後側検出部１５、操作・表示部１９がそれぞれ接続されている。操作・表示部１９は、縦型ランドリモニタ１０の外側に設けられており、各種操作が入力され、また、各種データを表示する。
【００２０】
操作・表示部１９を通じて作業服の汚染の有無の検出について入力されると、信号処理部１８は、上流前側検出部１２、下流前側検出部１３、上流後側検出部１４、下流後側検出部１５から送信された検出信号に基づいて、搬送路１１内を通過する作業服２の放射線汚染の有無を検出し、放射線汚染の有無を知らせる表示コマンドを操作・表示部１９へ送信し、操作・表示部１９の表示により汚染の有無が確認される。縦型ランドリモニタ１０はこのようなものである。
【００２１】
投入部２０は、作業服２が掛けられたハンガーをセットすると、搬送部３０まで移動させて搬送部３０の移動フック３３へハンガーを投入する。
【００２２】
搬送部３０は、図１で示すように、支持柱３１、搬送本体３２、移動フック３３を備えている。
支持柱３１は、搬送本体３２を下側から支持する。
搬送本体３２には、図示しないが輪状のチェーンが回転しており、少なくとも縦型ランドリモニタ１０の搬送路１１上に経路を採るようになされている。
移動フック３３は、チェーンとともに移動するように構成されている。移動フック３３も縦型ランドリモニタ１０の搬送路１１上を移動するように構成されている。搬送部３０は、このようなものである。
【００２３】
収納部４０は、搬送部３０を移動する作業服２を仕分けした後に収納する。例えば、作業服２を大中小の三種類に分けて収納する。収納部４０はこのようなものである。
【００２４】
このようなランドリモニタシステム１は、原子力発電所等の放射性物質取扱施設内にて用いられた作業服２が放射性物質によって汚染されているか否かを検査するために用いられる。ランドリモニタシステム１を用いる作業服２の管理について概略を説明すると、作業員が投入部２０にハンガーに掛けられた状態の作業服２をセットする。投入部２０はハンガーに掛けられた作業服２を搬送部３０の移動フック３３へ掛けた状態として搬送部３０へ投入する。搬送部３０の移動フック３３がチェーンにより移動して、ハンガーから吊り下げられた作業服２をハンガーごと移動させる。搬送部３０から吊り下げられた状態の作業服２が縦型ランドリモニタ１０内に搬送されて放射性物質による汚染の有無が検出される。汚染がない場合、作業服２は、三台ある収納部４０へ搬送されてサイズ別に集められて収納される。サイズについては、例えばハンガーに取り付けられたＩＣタグにより判別される。そして、汚染がある場合には、作業服２は、図示しない収納カゴ内へ落下させて収納される。
【００２５】
続いて校正治具について説明する。校正治具１００は、図５，図６に示すように、本体部１０１、線源保持部１０２、フック固定部１０３、上側ガイド部１０４、下側ガイド部１０５を備えている。
【００２６】
本体部１０１は、上下方向（図３参照）に長尺に形成されたフレーム構造体である。本体部１０１は、長方形形状として形成されている。突設部１０１ａは多段円柱状の部材であり、この本体部１０１の両側面において縦方向に複数設けられている。
【００２７】
線源保持部１０２は、保持部本体１０２ａと、この保持部本体１０２ａの左右両側に設けられており、突設部１０１ａに係止される係止部１０２ｂを有している。係止部１０２ｂは、上下２箇所計４箇所の突設部１０２にそれぞれ嵌め込まれる上下２箇所計４箇所の溝部を含む構成である。保持部本体１０２ａには図示しない線源が固定される。線源と検出部の位置は所定の検出位置となるように機械的な設計がなされている。また、線源保持部１０２は、前側に代えて後側に向けて取り付けることができる。前側に向いている場合は線源も前側に向いており前側の検出部の校正がなされる。そして、後側に向いている場合は線源も後側に向いており後側の検出部の校正がなされる。
【００２８】
フック固定部１０３は、本体部１０１の上側に取り付けられており孔部１０３ａを有している。図５（ｃ）で示すように、フック固定部１０３の孔部１０３ａには搬送部３０の移動フック３３が嵌め込まれて係止され、さらに側面両側にある固定ネジ１０３ｂにより押圧されて強固な固定を行う。また、図５（ａ）でも明らかなように、孔部１０３ａは前後方向にも長く形成されている。これにより、搬送時でも前後方向や左右方向に校正治具１００が揺れないようになっている。
【００２９】
上側ガイド部１０４は、本体部１０１の上側に取り付けられており、上流前側検出部１２および下流前側検出部１３が形成される縦型ランドリモニタ１０の前側内壁面１６に当接するように設けられ、上下流で一対の前側ローラ１０４ａと、上流後側検出部１４および下流後側検出部１５が形成される縦型ランドリモニタ１０の後側内壁面１０７に当接するように設けられ、上下流で一対の後側ローラ１０４ｂと、を備える。また、上下流で一対をなす台形状の平板からなる誘導部１０４ｃを備える。
【００３０】
下側ガイド部１０５は、本体部１０１の下側に取り付けられており、上流前側検出部１２および下流前側検出部１３が形成される縦型ランドリモニタ１０の前側内壁面１６に当接するように設けられ、上下流で一対の前側ローラ１０５ａと、上流後側検出部１４および下流後側検出部１５が形成される縦型ランドリモニタ１０の後側内壁面１０７に当接するように設けられ、上下流で一対の後側ローラ１０５ｂと、を備える。また、上下流で一対をなす台形上の平板からなる誘導部１０５ｃを備える。
【００３１】
続いてこのような校正治具１００を用いる校正について説明する。
このような校正治具１００は、作業服２をハンガーに吊るした状態で搬送するランドリモニタシステム１において、校正治具１００を吊るした状態で構成動作を行うことが可能となる。
【００３２】
校正は、線源を前後の検出部の表面に対して一定の距離を保たせて動作させる必要がある。仮に上側ガイド部や下側ガイド部がないような校正治具を搬送部３０に吊り下げて校正を行うと、校正治具は前後左右に揺れ、前後の検出部と一定の距離が保たれずに正常な校正ができないという問題があった。本発明の校正治具１００は、上側ガイド部１０４や下側ガイド部１０５が前側内壁面１６や後側内壁面１７に当接するため校正時の校正治具１００の動作を前後方向について安定化させ、線源から検出部表面までの距離が一定になるように維持して、正常な校正を可能にさせる。
【００３３】
校正時には、投入部２０を使用しないで搬送部３０を停止させた状態とし、線源１０６（図８参照）が取り付けられた校正治具１００を搬送部３０の移動フック３３に直接取り付ける。続いて手動により校正治具１００を縦型ランドリモニタ１０内へ送る。
【００３４】
すると、図７（ａ）で示すように、校正治具１００は、縦型ランドリモニタ１０の搬入口１１ａ付近へ導入される。この場合、校正治具１００は、フック固定部１０３により位置が決定されているため、搬送路１１内へ確実に誘導される。また、前後方向にずれがあったとしても、校正治具１００の下流側の誘導部１０４ｃが縦型ランドリモニタ１０の搬入口１１ａに当接して前後方向の位置が修正され、確実に搬送路１１内へ誘導される。続いて図７（ｂ）で示すように、校正治具１００の上側ガイド部１０４や下側ガイド部１０５の下流側の前側ローラ１０４ａ，１０５ａおよび下流側の後側ローラ１０４ｂ，１０５ｂが、縦型ランドリモニタ１０の前側内壁面１６および後側内壁面１７に当接する。この際にも前後方向で位置が修正される。
【００３５】
さらに図７（ｃ）で示すように、上側ガイド部１０４や下側ガイド部１０５の上下流側の前側ローラ１０４ａ，１０５ａおよび上下流側の後側ローラ１０４ｂ，１０５ｂが前側内壁面１６および後側内壁面１７に当接する。これにより前後方向の位置が決定され、線源１０６から検出部までの距離は等距離に決定される。たとえば、図７（ｄ）で示すように線源１０６から縦型ランドリモニタ１０の前側内壁面１６までが、予め校正用に決定された距離ａに維持される。
【００３６】
また、線源保持部１０２を本体部１０１に対して上下方向で付け替えることで高さ位置の異なる多数のセンサ部についても校正ができる。例えば、図８（ａ）で示すように、上流後側検出部１４の上から２番目のセンサ部を校正したり、また、図８（ｂ）で示すように、下流後側検出部１５の上から４番目のセンサ部を校正するというように、上下の位置により校正対象を変更することができる。このような校正時には付け替え作業など手間を要するが、この校正は例えば１年に一回というように長期間にわたり間が空くため、この程度の手間は問題とはならない。また、コスト的に低く抑えた校正治具１００とすることができる。
【００３７】
以上本発明の校正治具について説明した。このような校正治具では、特に縦型ランドリモニタであっても揺れを防止し、かつ、正確な位置決めがなされるため、より正確な校正を実現している。
【産業上の利用可能性】
【００３８】
本発明の校正治具は、放射性物質取扱施設、例えば原子力発電所などに設置されるランドリモニタシステムの縦型ランドリモニタの校正に適用される。
【符号の説明】
【００３９】
１：ランドリモニタシステム
１０：縦型ランドリモニタ
１１：搬送路
１１ａ：搬入口
１１ｂ：搬出口
１２：上流前側検出部
１３：下流前側検出部
１４：上流後側検出部
１５：下流後側検出部
１６：前側内壁面
１７：後側内壁面
１８：信号処理部
１９：操作・表示部
２０：投入部
３０：搬送部
３１：支持柱
３２：搬送本体
３３：移動フック
４０：収納部
１００：校正治具
１０１：本体部
１０１ａ：突設部
１０２：線源保持部
１０２ａ：保持部本体
１０２ｂ：係止部
１０３：フック固定部
１０３ａ：孔部
１０３ｂ：固定ネジ
１０４：上側ガイド部
１０４ａ：前側ローラ
１０４ｂ：後側ローラ
１０４ｃ：誘導部
１０５：下側ガイド部
１０５ａ：前側ローラ
１０５ｂ：後側ローラ
１０５ｃ：誘導部
２：作業服
【図１】
0005392571.tif 000002
【図２】
0005392571.tif 000003
【図３】
0005392571.tif 000004
【図４】
0005392571.tif 000005
【図５】
0005392571.tif 000006
【図６】
0005392571.tif 000007
【図７】
0005392571.tif 000008
【図８】
0005392571.tif 000009